(57)【特許請求の範囲】
【請求項１】
少なくとも、防犯センサと、警戒エリア毎に警戒状態／解除状態の設定を行うための設定装置を備える警備装置と、
前記警備装置に接続され、センタ装置と双方向の通信を行い、データの授受を行う通信制御装置を
備える警備用通信システムであって、
前記通信制御装置は、
当該通信制御装置の動作条件を定める設定データが書き込まれるＲＡＭと、
前記ＲＡＭに書き込まれる設定データの中の所定の設定データが書き込まれる不揮発性メモリと、
少なくとも、前記センタ装置とのデータの授受の処理、前記ＲＡＭ及び前記不揮発性メモリのメモリ制御を行う制御装置と
を備え、
前記警備装置は、前記通信制御装置の前記ＲＡＭに書き込まれる全ての設定データが書き込まれた設定データファイルを備え、
前記警備装置は、予め定められた所定のイベントが発生した場合、前記設定データファイルに書き込まれている全ての設定データを読み出し、前記通信制御装置の前記制御装置に対して当該読み出した設定データの前記ＲＡＭへの書き込みを指示し、
前記通信制御装置の前記制御装置は、前記警備装置からの前記指示に従って、前記全ての設定データを前記ＲＡＭに書き込むと共に、当該ＲＡＭに書き込んだ設定データの中の前記所定の設定データを自動的に前記不揮発性メモリに書き込む処理を行う
ことを特徴とする警備用通信システム。
【請求項２】
少なくとも、防犯センサと、警戒エリア毎に警戒状態／解除状態の設定を行うための設定装置を備える警備装置と、
前記警備装置に接続され、センタ装置と双方向の通信を行い、データの授受を行う通信制御装置を
備える警備用通信システムであって、
前記通信制御装置は、
当該通信制御装置の動作条件を定める設定データが書き込まれるＲＡＭと、
前記ＲＡＭに書き込まれる設定データの中の所定の設定データが書き込まれる不揮発性メモリと、
少なくとも、前記センタ装置とのデータの授受の処理、前記ＲＡＭ及び前記不揮発性メモリのメモリ制御を行う制御装置と
を備え、
前記警備装置は、前記通信制御装置の前記ＲＡＭに書き込まれる全ての設定データが書き込まれた設定データファイルを備え、
前記警備装置は、予め定められた所定のイベントが発生した場合、前記設定データファイルに書き込まれている全ての設定データを読み出し、前記通信制御装置の前記制御装置に対して当該読み出した設定データの前記ＲＡＭへの書き込みのみを指示し、次に、前記通信制御装置の前記不揮発性メモリに書き込まれている設定データの内容を取り込んで前記設定データファイルに書き込まれている内容と比較し、前記不揮発性メモリに書き込まれている設定データの内容が前記設定データファイルに書き込まれている内容と異なっている場合には、前記通信制御装置の前記制御装置に対して、前記ＲＡＭに記憶されている設定データの中の前記所定の設定データについて前記不揮発性メモリに書き込む処理を指示し、
前記通信制御装置の前記制御装置は、前記警備装置からの前記全ての設定データの前記ＲＡＭのみへの書き込みの指示に従って、当該全ての設定データの前記ＲＡＭへの書き込みを行い、更に、前記警備装置から前記不揮発性メモリへの書き込みの処理が指示された場合には、当該ＲＡＭに書き込んだ設定データの中の前記所定の設定データを前記不揮発性メモリに書き込む処理を行う
ことを特徴とする警備用通信システム。
【発明の詳細な説明】
【０００１】
【発明の属する技術分野】
本発明は、異常が発生した場合に電話回線を介して警備会社等に設置されているセンタ装置に対して、少なくとも異常な状態が発生した旨の通報を行う警備用通信システムに関する。
【０００２】
【従来の技術】
従来、警備用通信システムとして、図２に示すように、画像伝送装置１と通信制御装置３とを備えるシステムが知られている。このようなシステムは広く知られているが、概略説明すると次のようである。図２において、１は画像伝送装置、２は制御装置、３は通信制御装置、Ｌは電話回線を示す。
【０００３】
この警備用通信システムは、警備の対象となっている箇所に設置されている。画像伝送装置１は、プロセッシングユニット及びその周辺回路で構成される制御装置２を備えている。
【０００４】
通信制御装置３は、電話回線Ｌを介してセンタ装置（図示せず）と双方向の通信を行い、データの授受を行うためのものであり、電話回線Ｌがアナログ回線である場合はモデムで構成され、電話回線ＬがＩＳＤＮ回線である場合は、ターミナル・アダプタ（以下、ＴＡと称す）、及びデジタル回線終端装置（以下、ＤＳＵと称す）で構成される。
【０００５】
画像伝送装置１には、熱線センサ等の異常の検知を行うための防犯センサ、監視カメラが接続されている。そして、監視カメラと防犯センサとは対応付けられており、ある防犯センサが発報した場合には、当該防犯センサと対応付けられた監視カメラからの画像が通信制御装置３により、電話回線Ｌを介してセンタ装置に伝送されるようになされている。なお、防犯センサ、監視カメラは複数設けられるのが一般的であるが、図が煩雑になるのを避けるために図では単に画像伝送装置１には防犯センサ、監視カメラが接続されることを示している。
【０００６】
また、画像伝送装置１には設定装置も接続されている。この設定装置は警戒エリア毎に警戒状態／解除状態の設定を行うためのものである。この設定装置も複数設けられるのが一般的ではあるが、図が煩雑になるのを避けるために、図では単に画像伝送装置１に設定装置が接続されることを示している。
【０００７】
画像伝送装置１の制御装置２は、設定装置によってあるエリアの警戒が解除されたときには、当該エリアに対して解除状態が設定されたことを示す情報を生成し、センタ装置の電話番号と共に通信制御装置３に渡し、センタ装置への送信を指示する。これにより、通信制御装置３は、センタ装置の電話番号をダイヤリングし、回線が閉結されると当該情報を送信する。
【０００８】
同様に、制御装置２は、設定装置によってあるエリアが警戒状態になされたときには、当該エリアに対して警戒状態が設定されたことを示す情報を生成し、センタ装置の電話番号と共に通信制御装置３に渡し、センタ装置への送信を指示する。これにより、通信制御装置３は、センタ装置の電話番号をダイヤリングし、回線が閉結されると当該情報を送信する。
【０００９】
また、制御装置２は、警戒状態に設定されているエリアの防犯センサが発報したときにはセンタ装置に対して、当該発報した防犯センサに対応する監視カメラからの画像データ、異常が発生したことを示す情報、及びセンタ装置の電話番号を通信制御装置３に渡し、センタ装置への送信を指示する。これによって、通信制御装置３は、センタ装置の電話番号をダイヤリングし、回線が閉結されると画像データ及び異常が発生したことを示す情報をセンタ装置に対して送信する。
【００１０】
更に、制御装置２は、センタ装置に対して、一定時間毎に定時通報を行う。この定時通報の場合には、制御装置２は定時通報であることを示す情報とセンタ装置の電話番号を通信制御装置３に渡し、センタ装置への送信を指示する。これにより、通信制御装置３は、センタ装置の電話番号をダイヤリングし、回線が閉結されると当該情報を送信する。この定時通報は当該画像伝送装置１が正常に動作していることを示す情報となる。即ち、センタ装置で当該定時通報であることを示す情報を受信した場合には、当該画像伝送装置１が正常に動作していると判断できるからである。
【００１１】
ところで、上述したように、電話回線Ｌがアナログ回線である場合、通信制御装置３はモデムで構成されるが、その場合の構成例を図３に示す。図３において、モデムから構成される通信制御装置３は、データの送信の処理、データの受信の処理、ＲＡＭ５及び不揮発性メモリ６のメモリ制御等を行う制御装置４、ＲＡＭ５、電気的に記憶内容を書き換え可能な不揮発性メモリ（以下、単に不揮発性メモリと称す）６を備えている。不揮発性メモリ６としてはＥＥＰＲＯＭが用いられるのが通常である。
【００１２】
ＲＡＭ５には、当該通信制御装置３の動作条件を定めるための種々の設定データが書き込まれている。従って、制御装置４は、ＲＡＭ５に書き込まれている設定データに基づいて動作している。
【００１３】
不揮発性メモリ６には、ＲＡＭ５に書き込まれている設定データの中の所定の設定データが制御装置４によって書き込まれる。どのような設定データを不揮発性メモリ６に書き込むようにするかは一般的に定められているものではなく、モデムのメーカによって独自に定められているのが現状であるが、１回設定したら変更する必要のない設定データについては不揮発性メモリ６に書き込むようになされている場合が多い。
【００１４】
例えば、ＲＡＭ５に書き込まれる設定データの中には、自動着信を行うか行わないかを設定するデータ、自動着信を行う場合には何回コールされたら自動着信を行うかという設定のデータ等があるが、これらの設定データについては不揮発性メモリ６に書き込むようになされていることが多い。
【００１５】
何れにしても、制御装置４は、ＲＡＭ５に新たな設定データが設定されたとき、あるいは変更されたとき等、ＲＡＭ５に何等かの設定データを書き込んだときには、予め定められた所定の設定データについては、自動的にそれらのデータを不揮発性メモリ６に書き込む処理を行うのである。
【００１６】
また、電話回線ＬがＩＳＤＮ回線である場合、通信制御装置３は図４に示すように、ＴＡ７及びＤＳＵ８で構成され、ＴＡ７は、データの送信の処理、データの受信の処理、ＲＡＭ１０及び不揮発性メモリ１１のメモリ制御等を行う制御装置９、ＲＡＭ１０、電気的に記憶内容を書き換え可能な不揮発性メモリ（以下、単に不揮発性メモリと称す）１１を備えている。
【００１７】
ＲＡＭ１０、不揮発性メモリ１１は、それぞれ図３に示すＲＡＭ５、不揮発性メモリ６と同等であり、不揮発性メモリ１１としては、電気的に記憶内容を書き換え可能なＲＯＭであるＥＥＰＲＯＭが用いられる。ＲＡＭ１０には、当該通信制御装置３の動作条件を設定するための種々の設定データが書き込まれており、不揮発性メモリ１１には、ＲＡＭ１０に書き込まれている設定データの中の所定の設定データが制御装置９によって自動的に書き込まれるようになされている。どのような設定データを不揮発性メモリ１１に書き込むようにするかは一般的に定められているものではなく、ＴＡのメーカによって独自に定められている。
【００１８】
なお、ＤＳＵには、ＴＡや電話機、ファクシミリ等を複数台接続可能となされているのが通常であるが、図４ではＴＡ７が１台だけ接続されている場合を示している。
【００１９】
【発明が解決しようとする課題】
さて、いま、図２の構成において、電話回線Ｌはアナログ回線であるとし、通信制御装置３はモデムであり、図３に示す構成を備えているものとすると、この警備用通信システムは、警備用であるがために、画像伝送装置１、及び通信制御装置３には常時電源が投入されている。即ち、この警備用通信システムは常時動作しており、電源がオフとなされることはない。なぜなら、警備は常時行われている必要があるからである。
【００２０】
しかし、そのために、通信制御装置３のＲＡＭ５は常時外来ノイズにさらされることになり、外来ノイズによってＲＡＭ５の記憶内容が変更されてしまい、通信制御装置が正常に動作しなくなってしまう場合があるという問題がある。
【００２１】
以上、電話回線Ｌがアナログ回線であり、通信制御装置３がモデムである場合について説明したが、上述した問題は、電話回線ＬがＩＳＤＮ回線で、通信制御装置３がＴＡとＤＳＵで構成される場合にも同様に生じるものである。
【００２２】
また、上述した問題は、画像伝送装置を用いた警備用通信システムに限らず、防犯センサと設定装置とを備えるだけの警備装置を用いた警備用通信システムにおいても同様に生じるものである。
【００２３】
そこで、本発明は、通信制御装置のＲＡＭの記憶内容が外来ノイズによって変更された場合であっても、ＲＡＭの記憶内容を初期化することによって、外来ノイズによる悪影響を回避することができる警備用通信システムを提供することを目的とするものである。
【００２４】
【課題を解決するための手段】
上記の目的を達成するために、請求項１記載の警備用通信システムは、少なくとも、防犯センサと、警戒エリア毎に警戒状態／解除状態の設定を行うための設定装置を備える警備装置と、前記警備装置に接続され、センタ装置と双方向の通信を行い、データの授受を行う通信制御装置を備える警備用通信システムであって、前記通信制御装置は、当該通信制御装置の動作条件を定める設定データが書き込まれるＲＡＭと、前記ＲＡＭに書き込まれる設定データの中の所定の設定データが書き込まれる不揮発性メモリと、少なくとも、前記センタ装置とのデータの授受の処理、前記ＲＡＭ及び前記不揮発性メモリのメモリ制御を行う制御装置とを備え、前記警備装置は、前記通信制御装置の前記ＲＡＭに書き込まれる全ての設定データが書き込まれた設定データファイルを備え、前記警備装置は、予め定められた所定のイベントが発生した場合、前記設定データファイルに書き込まれている全ての設定データを読み出し、前記通信制御装置の前記制御装置に対して当該読み出した設定データの前記ＲＡＭへの書き込みを指示し、前記通信制御装置の前記制御装置は、前記警備装置からの前記指示に従って、前記全ての設定データを前記ＲＡＭに書き込むと共に、当該ＲＡＭに書き込んだ設定データの中の前記所定の設定データを自動的に前記不揮発性メモリに書き込む処理を行うことを特徴とする。
請求項２記載の警備用通信システムは、少なくとも、防犯センサと、警戒エリア毎に警戒状態／解除状態の設定を行うための設定装置を備える警備装置と、前記警備装置に接続され、センタ装置と双方向の通信を行い、データの授受を行う通信制御装置を備える警備用通信システムであって、前記通信制御装置は、当該通信制御装置の動作条件を定める設定データが書き込まれるＲＡＭと、前記ＲＡＭに書き込まれる設定データの中の所定の設定データが書き込まれる不揮発性メモリと、少なくとも、前記センタ装置とのデータの授受の処理、前記ＲＡＭ及び前記不揮発性メモリのメモリ制御を行う制御装置とを備え、前記警備装置は、前記通信制御装置の前記ＲＡＭに書き込まれる全ての設定データが書き込まれた設定データファイルを備え、前記警備装置は、予め定められた所定のイベントが発生した場合、前記設定データファイルに書き込まれている全ての設定データを読み出し、前記通信制御装置の前記制御装置に対して当該読み出した設定データの前記ＲＡＭへの書き込みのみを指示し、次に、前記通信制御装置の前記不揮発性メモリに書き込まれている設定データの内容を取り込んで前記設定データファイルに書き込まれている内容と比較し、前記不揮発性メモリに書き込まれている設定データの内容が前記設定データファイルに書き込まれている内容と異なっている場合には、前記通信制御装置の前記制御装置に対して、前記ＲＡＭに記憶されている設定データの中の前記所定の設定データについて前記不揮発性メモリに書き込む処理を指示し、前記通信制御装置の前記制御装置は、前記警備装置からの前記全ての設定データの前記ＲＡＭのみへの書き込みの指示に従って、当該全ての設定データの前記ＲＡＭへの書き込みを行い、更に、前記警備装置から前記不揮発性メモリへの書き込みの処理が指示された場合には、当該ＲＡＭに書き込んだ設定データの中の前記所定の設定データを前記不揮発性メモリに書き込む処理を行うことを特徴とする。
【００２５】
【発明の実施の形態】
以下、図面を参照しつつ発明の実施の形態について説明する。
図１は、本発明を、画像伝送装置１と通信制御装置３を備える警備用通信システムに適用した場合の第１の実施形態を示す図であり、図中、２０は設定データファイルを示す。なお、ここでは電話回線Ｌはアナログ回線であり、通信制御装置３はモデムで構成されるものとする。図１において、図２、図３に示すものと同等なものについては同一の符号を付している。
【００２６】
画像伝送装置１の制御装置２は設定データファイル２０を管理している。この設定データファイル２０には、通信制御装置３のＲＡＭに記憶される全ての設定データが書き込まれている。そして、画像伝送装置１の制御装置２は、予め定められている所定のイベントが発生した場合には、当該イベントに関する処理を行うに先立って、設定データファイル２０に書き込まれている全ての設定データを読み出し、通信制御装置３の制御装置４に対してこれらの設定データのＲＡＭ５への記憶を指示する。これによって通信制御装置３の制御装置４はこれらの設定データをＲＡＭ５に書き込む。従って、ＲＡＭ５には設定データファイル２０に書き込まれている設定データと同じ設定データが記憶されることになる。これがＲＡＭ５の初期化である。
そして、ＲＡＭ５の初期化が終了した後に、画像伝送装置１の制御装置２は、当該イベントに関する処理を行う。
【００２７】
どのようなイベントが発生したときにＲＡＭ５の初期化を行うかは任意に定めることができるが、センタ装置に対して何等かの情報を送信する必要が生じた場合、あるいはセンタ装置への送信が終了した場合とすることができる。特に、センタ装置に対して何等かの情報を送信する必要が生じたというイベントが発生した場合にはＲＡＭ５の初期化を行うようにするのは重要である。なぜなら、センタ装置への送信の必要が生じた時点までの間に外来ノイズによってＲＡＭ５の記憶内容が変更されていたとしても、ＲＡＭ５が初期化された後にセンタ装置への送信が行われるので、外来ノイズにより悪影響を回避することができるからである。
【００２８】
従って、センタ装置に対して何等かの情報を送信する必要が生じたというイベントが発生した場合にＲＡＭ５の初期化を行うものとすると、当該画像伝送装置１の制御装置２が定時通報を行うものである場合には、少なくとも定時通報の直前にはＲＡＭ５の初期化が行われることになる。つまり、この場合にはＲＡＭ５の初期化は定期的に行われることになる。
【００２９】
以上が第１の実施形態であるが、上述したように、通信制御装置３の制御装置４は、ＲＡＭ５に何等かの設定データを書き込んだときには、予め定められた所定の設定データについては、自動的にそれらのデータを不揮発性メモリ６に書き込む処理を行うので、上述した第１の実施形態においてはＲＡＭ５の初期化が行われる度毎に不揮発性メモリ６への書き込みが行われてしまうことになる。
しかし、一般に不揮発性メモリには書き込み回数の限度があり、その限度を超えて書き込みを行うと不揮発性メモリは劣化し、壊れてしまう。従って、ＲＡＭ５の初期化を行う都度、不揮発性メモリ６への書き込みを行うのは望ましいものではない。
【００３０】
そこで、以下に第２の実施形態として、通信制御装置３のＲＡＭ５の初期化は行うが、不揮発性メモリ６への書き込み回数を必要最小限にとどめ、不揮発性メモリ６の寿命が短くなってしまうことを回避することができる警備用通信システムについて説明する。
【００３１】
この警備用通信システムのブロック構成は図１に示すものと同じであるが、画像伝送装置１の制御装置２は、ＲＡＭ５の中のどの設定データが不揮発性メモリ６に書き込まれるかを認識している。また、通信制御装置３の制御装置４に対するコマンドには、ＲＡＭ５への書き込みのみを指示するコマンド、不揮発性メモリ６の内容を確認するコマンド、及び不揮発性メモリ６への書き込みを指示するコマンドがある。通信制御装置３には通常このようなコマンドがある。
【００３２】
さて、画像伝送装置１の制御装置２は、第１の実施形態で説明したと同様に、所定のイベントが発生したときには当該イベントに関する処理を行うに先立ってＲＡＭ５の初期化を行うが、この初期化に際しては、まずＲＡＭ５への書き込みのみを指示するコマンドと共に、設定データファイル２０に書き込まれた設定データを通信制御装置３の制御装置４に通知する。これによって、通信制御装置３の制御装置４は、画像伝送装置１の制御装置２から受けた設定データをＲＡＭ５のみに書き込み、この時点では不揮発性メモリ６への書き込みは行わない。
【００３３】
このようにしてＲＡＭ５の初期化が終了すると、画像伝送装置１の制御装置２は、通信制御装置３の制御装置４に対して不揮発性メモリ６からの設定データの転送を指示する。これによって、制御装置４は、不揮発性メモリ６に記憶されている設定データを読み出し、画像伝送装置１の制御装置２に転送する。
【００３４】
画像伝送装置１の制御装置２は、通信制御装置３の制御装置４から転送された不揮発性メモリ６の記憶内容を受けると、それらの設定データの内容を、設定データファイル２０に書き込まれている設定データの内容と比較する。そして、制御装置４から受けた全ての設定データの内容が設定データファイル２０に書き込まれている内容と同じである場合には、制御装置２は、不揮発性メモリ６の内容を書き換える必要はないと判断して、初期化の終了を制御装置４に通知する。これによって初期化の処理は終了する。従って、この場合には不揮発性メモリ６への書き込みは行われない。
【００３５】
しかし、制御装置４から受けた設定データの内容が一つでも設定データファイル２０に書き込まれている内容と異なっている場合には、制御装置２は、不揮発性メモリ６の内容を書き換える必要があると判断して、制御装置４に対して不揮発性メモリ６への書き込みを指示するコマンドを通知する。これによって、制御装置４は、ＲＡＭ５に記憶されている設定データの中の所定の設定データの内容を不揮発性メモリ６に書き込む処理を行う。これによって、不揮発性メモリ６の記憶内容は正しいものとなる。そして、この処理が終了すると初期化の処理は終了となる。
【００３６】
以上のようであるので、この警備用通信システムによれば、所定のイベントが発生した場合にはＲＡＭ５の初期化が行われるので、外来ノイズによる悪影響を回避することができると共に、外来ノイズ等によって不揮発性メモリ６の記憶内容が変更されてしまっても、その記憶内容を初期化することができ、しかも不揮発性メモリ６への書き込みは必要最小限にとどめることができるので、不揮発性メモリ６の寿命を可能な限り延ばすことができる。
【００３７】
以上、本発明の実施形態について説明したが、本発明は上記実施形態に限定されるものではなく、種々の変形が可能である。例えば、上記の実施形態では電話回線Ｌがアナログ回線であり、通信制御装置３がモデムである場合について説明したが、本発明は、電話回線ＬがＩＳＤＮ回線であり、通信制御装置３がＴＡとＤＳＵで構成される場合にも適用できるものである。
【００３８】
また、上記の実施形態では画像伝送装置を用いた警備用通信システムについて説明したが、本発明は、防犯センサと設定装置とを備えるだけの警備装置を用いた警備用通信システムにも適用できるものである。
【図面の簡単な説明】
【図１】  本発明に係る警備用通信システムの実施形態を示す図である。
【図２】  従来の警備用通信システムの構成例を示す図である。
【図３】  電話回線Ｌがアナログ回線である場合の通信制御装置３の構成例を示す図である。
【図４】  電話回線ＬがＩＳＤＮ回線である場合の通信制御装置３の構成例を示す図である。
【符号の説明】
１…画像伝送装置、２…制御装置、３…通信制御装置、４…制御装置、５…ＲＡＭ、６…不揮発性メモリ、７…ターミナルアダプタ（ＴＡ）、８…デジタル回線終端装置（ＤＳＵ）、９…制御装置、１０…ＲＡＭ、１１…不揮発性メモリ、２０…設定データファイル。
【図１】
0004079241.tif 000002
【図２】
0004079241.tif 000003
【図３】
0004079241.tif 000004
【図４】
0004079241.tif 000005